【手続補正書】
【提出日】平成30年6月11日(2018.6.11)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
チャネル使用インジケータまたは主要同期信号（ＰＳＳ）の存在に少なくとも部分的に基づいて、監視すべき少なくとも１つの直交周波数分割多重（ＯＦＤＭ）シンボルを決定することと、
前記決定された少なくとも１つのＯＦＤＭシンボルの間に免許不要無線周波数スペクトル帯域を通じて基地局から前記ＰＳＳを受信することと、
前記受信されたＰＳＳに少なくとも部分的に基づいて、ユーザ機器（ＵＥ）を前記基地局と同期させることと
を備える方法。
【請求項２】
前記免許不要無線周波数スペクトル帯域を通じて前記チャネル使用インジケータを受信すること
をさらに備え、ここにおいて、監視すべき前記少なくとも１つのＯＦＤＭシンボルが、前記受信されたチャネル使用インジケータに関連付けられる時間に基づいて決定される、請求項１に記載の方法。
【請求項３】
前記決定された少なくとも１つのＯＦＤＭシンボルは、前記チャネル使用インジケータの受信に続くダウンリンク送信の第１のサブフレームの隣接直交周波数分割多重（ＯＦＤＭ）シンボルを備える、請求項２に記載の方法。
【請求項４】
前記ＰＳＳを受信することは、
前記隣接ＯＦＤＭシンボルの各々の間にサブキャリアの同じセット上で前記ＰＳＳを受信すること
を備える、請求項３に記載の方法。
【請求項５】
ワイヤレス通信のための装置であって、
チャネル使用インジケータまたは主要同期信号（ＰＳＳ）の存在に少なくとも部分的に基づいて、監視すべき少なくとも１つの直交周波数分割多重（ＯＦＤＭ）シンボルを決定するための手段と、
前記決定された少なくとも１つのＯＦＤＭシンボルの間に免許不要無線周波数スペクトル帯域を通じて基地局から前記ＰＳＳを受信するための手段と、
前記受信されたＰＳＳに少なくとも部分的に基づいて、ユーザ機器（ＵＥ）を前記基地局と同期させるための手段と
を備える装置。
【請求項６】
前記免許不要無線周波数スペクトル帯域を通じてチャネル使用インジケータを受信するための手段を
さらに備え、ここにおいて、監視すべき前記少なくとも１つのＯＦＤＭシンボルが、前記受信されたチャネル使用インジケータに関連付けられる時間に基づいて決定される、請求項５に記載の装置。
【請求項７】
前記決定された少なくとも１つのＯＦＤＭシンボルは、前記チャネル使用インジケータの受信に続くダウンリンク送信の第１のサブフレームの隣接直交周波数分割多重（ＯＦＤＭ）シンボルを備える、請求項５に記載の装置。
【請求項８】
ワイヤレス通信の方法であって、
免許不要無線周波数スペクトル帯域に対してクリアチャネルアセスメント（ＣＣＡ）を実行することと、
主要同期信号（ＰＳＳ）を送信すべき前記免許不要無線周波数スペクトル帯域に関連付けられる少なくとも１つの直交周波数分割多重（ＯＦＤＭ）シンボルを決定することと、
前記決定された少なくとも１つのＯＦＤＭシンボルの間に前記免許不要無線周波数スペクトル帯域を通じて前記ＰＳＳを送信することと
を備える方法。
【請求項９】
前記ＣＣＡが成功したときに前記免許不要無線周波数スペクトル帯域を通じてチャネル使用インジケータを送信すること
をさらに備える、請求項８に記載の方法。
【請求項１０】
前記決定された少なくとも１つのＯＦＤＭシンボルは、前記チャネル使用インジケータに続くダウンリンク送信の第１のサブフレームの隣接直交周波数分割多重（ＯＦＤＭ）シンボルを備える、請求項９に記載の方法。
【請求項１１】
前記ＰＳＳを送信することは、
前記隣接ＯＦＤＭシンボルの各々の間にサブキャリアの同じセット上で前記ＰＳＳを送信すること
を備える、請求項１０に記載の方法。
【請求項１２】
ワイヤレス通信のための装置であって、
免許不要無線周波数スペクトル帯域に対してクリアチャネルアセスメント（ＣＣＡ）を実行するための手段と、
主要同期信号（ＰＳＳ）を送信すべき前記免許不要無線周波数スペクトル帯域に関連付けられる少なくとも１つの直交周波数分割多重（ＯＦＤＭ）シンボルを決定するための手段と、
前記決定された少なくとも１つのＯＦＤＭシンボルの間に前記免許不要無線周波数スペクトル帯域を通じて前記ＰＳＳを送信するための手段と
を備える装置。
【請求項１３】
前記ＣＣＡが成功したときに前記免許不要無線周波数スペクトル帯域を通じてチャネル使用インジケータを送信するための手段
をさらに備える、請求項１２に記載の装置。
【請求項１４】
前記決定された少なくとも１つのＯＦＤＭシンボルは、前記チャネル使用インジケータに続くダウンリンク送信の第１のサブフレームの隣接直交周波数分割多重（ＯＦＤＭ）シンボルを備える、請求項１２に記載の装置。
【請求項１５】
コンピュータ上で実行されると、請求項１ないし４または請求項８ないし１１のいずれか一項に記載の方法を実行するための命令を備えるコンピュータプログラム。
【手続補正２】
【補正対象書類名】明細書
【補正対象項目名】０２１４
【補正方法】変更
【補正の内容】
【０２１４】
[0231]  本開示の前の説明は、当業者が本開示を作成または使用することが可能になるように提供される。本開示への様々な修正が当業者には容易に明らかであり、本明細書において定義された一般原理は、本開示の趣旨または範囲から逸脱することなく、他の変形形態に適用され得る。本開示全体にわたって、「例」または「例示的」という用語は、例または事例を示すものであり、言及された例に対する選好を暗示せず、または要求しない。したがって、本開示は、本明細書で説明された例および設計に限定されるべきでなく、本明細書で開示された原理および新規の特徴に合致する最も広い範囲を与えられるべきである。
以下に本願の出願当初の特許請求の範囲に記載された発明を付記する。
［Ｃ１］  ワイヤレス通信の方法であって、
チャネル使用インジケータまたは主要同期信号（ＰＳＳ）の存在に少なくとも部分的に基づいて、監視すべき少なくとも１つの直交周波数分割多重（ＯＦＤＭ）シンボルを決定することと、
前記決定された少なくとも１つのＯＦＤＭシンボルの間に免許不要無線周波数スペクトル帯域を通じて基地局から前記ＰＳＳを受信することと、
前記受信されたＰＳＳに少なくとも部分的に基づいて、ユーザ機器（ＵＥ）を前記基地局と同期させることとを備える方法。
［Ｃ２］  前記免許不要無線周波数スペクトル帯域を通じて前記チャネル使用インジケータを受信することをさらに備え、ここにおいて、監視すべき前記少なくとも１つのＯＦＤＭシンボルが、前記受信されたチャネル使用インジケータに関連付けられる時間に基づいて決定される、Ｃ１に記載の方法。
［Ｃ３］  前記決定された少なくとも１つのＯＦＤＭシンボルは、前記チャネル使用インジケータの受信に続くダウンリンク送信の第１のサブフレームの隣接直交周波数分割多重（ＯＦＤＭ）シンボルを備える、Ｃ２に記載の方法。
［Ｃ４］  前記ＰＳＳを受信することは、
前記隣接ＯＦＤＭシンボルの各々の間にサブキャリアの同じセット上で前記ＰＳＳを受信することを備える、Ｃ３に記載の方法。
［Ｃ５］  前記免許不要無線周波数スペクトル帯域を通じて前記基地局から二次的同期信号（ＳＳＳ）を受信することをさらに備え、ここにおいて、前記ＳＳＳが、前記決定された少なくとも１つのＯＦＤＭシンボルのうちの少なくとも１つの間に受信される、Ｃ１に記載の方法。
［Ｃ６］  同じアンテナポートを通じて前記ＰＳＳおよび前記ＳＳＳを受信することをさらに備える、Ｃ５に記載の方法。
［Ｃ７］  前記免許不要無線周波数スペクトル帯域を通じてセル固有基準信号（ＣＲＳ）を受信することと、
前記受信されたＣＲＳに基づいて基地局パラメータを決定することと、ここにおいて、前記基地局パラメータが、前記基地局の物理セル識別情報（ＰＣＩ）、前記基地局の現在のサブフレーム番号、およびそれらの組合せから成るグループから選択される、をさらに備える、Ｃ１に記載の方法。
［Ｃ８］  ワイヤレス通信のための装置であって、
チャネル使用インジケータまたは主要同期信号（ＰＳＳ）の存在に少なくとも部分的に基づいて、監視すべき少なくとも１つの直交周波数分割多重（ＯＦＤＭ）シンボルを決定するための手段と、
前記決定された少なくとも１つのＯＦＤＭシンボルの間に免許不要無線周波数スペクトル帯域を通じて基地局から前記ＰＳＳを受信するための手段と、
前記受信されたＰＳＳに少なくとも部分的に基づいて、ユーザ機器（ＵＥ）を前記基地局と同期させるための手段とを備える装置。
［Ｃ９］  前記免許不要無線周波数スペクトル帯域を通じてチャネル使用インジケータを受信するための手段をさらに備え、ここにおいて、監視すべき前記少なくとも１つのＯＦＤＭシンボルが、前記受信されたチャネル使用インジケータに関連付けられる時間に基づいて決定される、Ｃ８に記載の装置。
［Ｃ１０］  前記決定された少なくとも１つのＯＦＤＭシンボルは、前記チャネル使用インジケータの受信に続くダウンリンク送信の第１のサブフレームの隣接直交周波数分割多重（ＯＦＤＭ）シンボルを備える、Ｃ８に記載の装置。
［Ｃ１１］  前記ＰＳＳを受信するための前記手段は、
前記隣接ＯＦＤＭシンボルの各々の間にサブキャリアの同じセット上で前記ＰＳＳを受信するための手段を備える、Ｃ１０に記載の装置。
［Ｃ１２］  前記免許不要無線周波数スペクトル帯域を通じて前記基地局から二次的同期信号（ＳＳＳ）を受信するための手段をさらに備え、ここにおいて、前記ＳＳＳが、前記決定された少なくとも１つのＯＦＤＭシンボルのうちの少なくとも１つの間に受信される、Ｃ８に記載の装置。
［Ｃ１３］  同じアンテナポートを通じて前記ＰＳＳおよび前記ＳＳＳを受信するための手段をさらに備える、Ｃ１２に記載の装置。
［Ｃ１４］  前記免許不要無線周波数スペクトル帯域を通じてセル固有基準信号（ＣＲＳ）を受信するための手段と、
前記受信されたＣＲＳに基づいて基地局パラメータを決定するための手段と、ここにおいて、前記基地局パラメータが、前記基地局の物理セル識別情報（ＰＣＩ）、前記基地局の現在のサブフレーム番号、およびそれらの組合せから成るグループから選択される、をさらに備える、Ｃ８に記載の装置。
［Ｃ１５］  ワイヤレス通信の方法であって、
免許不要無線周波数スペクトル帯域に対してクリアチャネルアセスメント（ＣＣＡ）を実行することと、
主要同期信号（ＰＳＳ）を送信すべき前記免許不要無線周波数スペクトル帯域に関連付けられる少なくとも１つの直交周波数分割多重（ＯＦＤＭ）シンボルを決定することと、
前記決定された少なくとも１つのＯＦＤＭシンボルの間に前記免許不要無線周波数スペクトル帯域を通じて前記ＰＳＳを送信することとを備える方法。
［Ｃ１６］  前記ＣＣＡが成功したときに前記免許不要無線周波数スペクトル帯域を通じてチャネル使用インジケータを送信することをさらに備える、Ｃ１５に記載の方法。
［Ｃ１７］  前記決定された少なくとも１つのＯＦＤＭシンボルは、前記チャネル使用インジケータに続くダウンリンク送信の第１のサブフレームの隣接直交周波数分割多重（ＯＦＤＭ）シンボルを備える、Ｃ１６に記載の方法。
［Ｃ１８］  前記ＰＳＳを送信することは、
前記隣接ＯＦＤＭシンボルの各々の間にサブキャリアの同じセット上で前記ＰＳＳを送信することを備える、Ｃ１７に記載の方法。
［Ｃ１９］  前記決定された少なくとも１つのＯＦＤＭシンボルのうちの少なくとも１つの間に前記免許不要無線周波数スペクトル帯域を通じて二次的同期信号（ＳＳＳ）を送信することをさらに備える、Ｃ１５に記載の方法。
［Ｃ２０］  同じアンテナポートを通じて前記ＰＳＳおよび前記ＳＳＳを送信することをさらに備える、Ｃ１９に記載の方法。
［Ｃ２１］  前記免許不要無線周波数スペクトル帯域を通じてセル固有基準信号（ＣＲＳ）を送信することをさらに備え、ここにおいて、前記ＣＲＳが、基地局の物理セル識別情報（ＰＣＩ）、基地局の現在のサブフレーム番号、およびそれらの組合せから成るグループから選択される基地局パラメータを示す、Ｃ１５に記載の方法。
［Ｃ２２］  前記ＣＣＡは拡張ＣＣＡ（ＥＣＣＡ）の一部である、Ｃ１５に記載の方法。
［Ｃ２３］  ワイヤレス通信のための装置であって、
免許不要無線周波数スペクトル帯域に対してクリアチャネルアセスメント（ＣＣＡ）を実行するための手段と、
主要同期信号（ＰＳＳ）を送信すべき前記免許不要無線周波数スペクトル帯域に関連付けられる少なくとも１つの直交周波数分割多重（ＯＦＤＭ）シンボルを決定するための手段と、
前記決定された少なくとも１つのＯＦＤＭシンボルの間に前記免許不要無線周波数スペクトル帯域を通じて前記ＰＳＳを送信するための手段とを備える装置。
［Ｃ２４］  前記ＣＣＡが成功したときに前記免許不要無線周波数スペクトル帯域を通じてチャネル使用インジケータを送信するための手段をさらに備える、Ｃ２３に記載の装置。
［Ｃ２５］  前記決定された少なくとも１つのＯＦＤＭシンボルは、前記チャネル使用インジケータに続くダウンリンク送信の第１のサブフレームの隣接直交周波数分割多重（ＯＦＤＭ）シンボルを備える、Ｃ２３に記載の装置。
［Ｃ２６］  前記ＰＳＳを送信するための前記手段は、
前記隣接ＯＦＤＭシンボルの各々の間にサブキャリアの同じセット上で前記ＰＳＳを送信するための手段を備える、Ｃ２５に記載の装置。
［Ｃ２７］  前記決定された少なくとも１つのＯＦＤＭシンボルのうちの少なくとも１つの間に前記免許不要無線周波数スペクトル帯域を通じて二次的同期信号（ＳＳＳ）を送信するための手段をさらに備える、Ｃ２３に記載の装置。
［Ｃ２８］  同じアンテナポートを通じて前記ＰＳＳおよび前記ＳＳＳを送信するための手段をさらに備える、Ｃ１９に記載の装置。
［Ｃ２９］  前記免許不要無線周波数スペクトル帯域を通じてセル固有基準信号（ＣＲＳ）を送信するための手段をさらに備え、ここにおいて、前記ＣＲＳが、基地局の物理セル識別情報（ＰＣＩ）、基地局の現在のサブフレーム番号、およびそれらの組合せから成るグループから選択される基地局パラメータを示す、Ｃ２３に記載の装置。
［Ｃ３０］  前記ＣＣＡは拡張ＣＣＡ（ＥＣＣＡ）の一部である、Ｃ２３に記載の装置。